(57)【要約】【課題】デッキ材を根太材に固定し且つ隣接するデッキ材同士を継ぎ合わせて平坦な化粧床面を形成し、施工後も不陸を生じさせることなく床面の平坦性を維持できるようにする。【解決手段】デッキ材４の一側の側部４Ａ下端に外方へ突出していて固着部材５を装着可能な長さを有する固定底板部４４と上方へ折れた段差部４５を設け、上端に突片部４６を設け、他側の側部４Ｂの下端に差込底板部４７を設け、上端に外方へ突出した突出天板部４８と段差部４９を設ける。隣接する一のデッキ材３の段差部４５に他のデッキ材４の差込底板部４７を、突片部４６に他のデッキ材４の段差部４９をそれぞれ係合させて、デッキ材４，４を継ぎ合わせて接続する。【選択図】図１
2015206228.tif 000002
【特許請求の範囲】
【請求項１】
根太材上に側部同士を継ぎ合わせて複数枚を並べて敷き詰めることにより化粧床面を形成するデッキ材において、
一側の側部に、当該側部の下端から外方へ突出していて固着部材を装着可能な長さを有する固定底板部が設けられているとともに当該固定底板部の端部に上方へ折れた段差部が設けられ、
他側の側部に、当該側部の下端から外方へ突出していて隣り合わせで継ぎ合わされる他のデッキ材の前記一側の側部に設けられた段差部の下側に差し込み可能な差込底板部と、当該側部の上端から前記差込底板部よりも長く外方へ突出した突出天板部が設けられた構成を有することを特徴とするデッキ材。
【請求項２】
固定底板部の突出長さが５ｍｍ以上３５ｍｍ以下であることを特徴とする請求項１に記載のデッキ材。
【請求項３】
デッキ材の固定底板部が設けられた側の側部に、当該側部の上端から外方へ突出した突片部が設けられ、
他側の側部に設けられた突出天板部に、隣り合わせに継ぎ合わされる他のデッキ材の前記突片部の下側に係合可能な段差部が設けられた構成を有することを特徴とする請求項１又は２に記載のデッキ材。
【請求項４】
突片部の突出長さが１ｍｍ以上１０ｍｍ以下であることを特徴とする請求項３に記載のデッキ材。
【請求項５】
請求項１〜４の何れかに記載のデッキ材同士を接続する構造において、
根太材に載せた一のデッキ材を、その固定底板部の上方から固着部材を根太材に通して根太材に固定し、
この固定された一のデッキ材の側部に根太材に載せた他のデッキ材の側部をあてがい、
固定された一のデッキ材の側部に設けられた段差部に他のデッキ材の側部に設けられた差込底板部を差し込んで係合させるとともに、他のデッキ材をその固定底板部の上方から固着部材を根太材に通して根太材に固定することによりデッキ材同士を互いに側部を継ぎ合わせて接続することを特徴とするデッキ材の接続構造。
【請求項６】
請求項１〜４の何れかに記載の複数枚のデッキ材を、根太材上で側部同士を継ぎ合わせつつ接続して敷き詰めることにより構成される化粧床面。
【発明の詳細な説明】
【技術分野】
【０００１】
本発明は、バルコニーやベランダなどの床版上に敷き詰めて化粧床面を形成する合成樹脂製のデッキ材に関する。
【背景技術】
【０００２】
バルコニーなどの化粧床面として、例えば図６に示されるように、バルコニーの下地である床版１００上に所定の間隔を開けて複数本の根太材１０１を並設し、この根太材１０１上に、複数のデッキ材１０２，１０２を根太材１０１と直交する方向に向けて並べ、隣り合うデッキ材１０２，１０２の側部同士を継ぎ合わせて敷き詰めることにより構成されるものが知られている。
【０００３】
図示したデッキ材１０２は、その上面中央部に凹溝部１０２ａが設けられており、この凹溝部１０２ａから根太材１０１にビスや留めネジ、釘などの固着部材１０３を通してデッキ材１０２を根太材１０１に固定した後、歩行に際して凹溝部１０２ａに足指が挟まって躓くことがないように、凹溝部１０２ａにカバー材１０２ｂを装着して凹溝部１０２ａに蓋をすることで、デッキ材１０２の上面が平坦な面となるように構成されたものである（例えば特許文献１，２参照）
【先行技術文献】
【特許文献】
【０００４】
【特許文献１】特開２０００−３３６９０５号公報
【特許文献２】特開２００１−２７０３８号公報
【発明の概要】
【発明が解決しようとする課題】
【０００５】
図示した従来のデッキ材１０２にあっては、デッキ材１０２の上面のうち凹溝部１０２ａを覆うカバー材１０２ｂの部分だけ剛性や強度が低く、化粧床面に日光が直射するなどして温度が上昇したときに、カバー材１０２ｂが反って変形し、デッキ材１０２の上面に段差ができたりカバー材１０２ｂが凹溝部１０２ａから浮き上がって脱落したりすることがあった。
また、凹溝部１０２ａへのカバー材１０２ｂの装着が必須であるため、デッキ材１０２を構成する部品点数が多くなり、製作や部材の管理にコストを要するという問題もあった。
【０００６】
本発明は従来の技術の有するこのような問題点に鑑み、カバー材を用いることなく、デッキ材を根太材に固定し且つ隣接するデッキ材同士を継ぎ合わせて平坦な化粧床面を形成するとともに、施工後も不陸を生じさせることなく化粧床面の平坦性を維持することができるようにすることを課題とする。
【課題を解決するための手段】
【０００７】
前記課題を解決するため本発明は、根太材上に側部同士を継ぎ合わせて複数枚を並べて敷き詰めることにより化粧床面を形成するデッキ材において、
一側の側部に、当該側部の下端から外方へ突出していて固着部材を装着可能な長さを有する固定底板部が設けられているとともに当該固定底板部の端部に上方へ折れた段差部が設けられ、
他側の側部に、当該側部の下端から外方へ突出していて隣り合わせで継ぎ合わされる他のデッキ材の前記一側の側部に設けられた段差部の下側に差し込み可能な差込底板部と、当該側部の上端から前記差込底板部よりも長く外方へ突出した突出天板部が設けられた構成を有することを特徴とする。
【０００８】
前記構成のデッキ材を用いた化粧床面の施工は、例えば以下の手順により行うことができる。
先ず、バルコニーなどの下地となる床版上に所定の間隔を開けて複数本の根太材を並設する。
そして、根太材と直交する方向に向けた一のデッキ材を根太材に載せ、その固定底板部の上方から固着部材を根太材に通して根太材に固定する。
次いで、根太材に載せた他のデッキ材の側部を、固定された一のデッキ材の側部にあてがい、他のデッキ材の側部に設けられた差込底板部を固定された一のデッキ材の側部に設けられた段差部に差し込んで係合させ、デッキ材の側部同士を継ぎ合わせる。一のデッキ材の側部に他のデッキ材の側部を継ぎ合わせた状態で、前記根太材に固定された一のデッキ材の固定底板部の上方は、他のデッキ材の突出天板部で覆われる。
そして、前記一のデッキ材に継ぎ合わせた他のデッキ材を、その固定底板部の上方から固着部材を根太材に通して根太材に固定し、デッキ材同士を接続する。
以降、順次、根太材に固定されたデッキ材の側部に新たなデッキ材の側部を係合させて継ぎ合わせるとともに、新たに継ぎ合わせたデッキ材を根太材に固定して、根太材上にデッキ材を敷き詰めることにより、複数枚のデッキ材が一体に接続された化粧床面が根太材上に形成される。
【０００９】
これによれば、デッキ材の一側の側部に外方へ突出した固定底板部を設け、根太材に対する固定は固定底板部の上方から、ビスや留めネジ、釘などの固着部材を根太材に通して行なわれ、また、固定されたデッキ材の側部に他のデッキ材の側部を継ぎ合わせて接続すれば、前記固定底板部の上方が他のデッキ材の側部から突出した突出天板部で覆われて、デッキ材の継目部分が凹凸のない平坦な面となるので、従来のデッキ材の如きカバー材が不要となる。
また、デッキ材同士の接続は、一のデッキ材の固定底板部の端部に設けた段差部に、他のデッキ材の差込底板部を差し込んで係合させることにより行なわれるが、係合部位は日光の直射がないデッキ材の底板部分であり、デッキ材の上面である天板よりも温度上昇が低いため、温度上昇による熱変形を来たすことがなく、化粧床面の施工後も、デッキ材の側部同士の係合を確実に維持して床面の平坦性を保持することができる。日光の直射を受けてデッキ材の前記係合部位が外れ、デッキ材が反ったり継目部分に段差ができたりするようなことはない。
【００１０】
前記構成のデッキ材において、デッキ材の固定底板部が設けられた側の側部に、当該側部の上端から外方へ突出した突片部が設けられ、他側の側部に設けられた突出天板部に、隣り合わせに継ぎ合わされる他のデッキ材の前記突片部の下側に係合可能な段差部が設けられた構成を有することが好ましい。
これによれば、デッキ材同士を継ぎ合わす際、一のデッキ材の側部上端に設けた突片部の下側に、他のデッキ材の突出天板部に設けた段差部に係合させることで、前記他のデッキ材の突出天板部が反り上がることを防止し、また、隣接するデッキ材の天板の端部同士を係合させることで継目部分の段差が全くなくなり、接続されたデッキ材の上面を平坦な面一の面とすることができる。
【００１１】
前記構成のデッキ材において、デッキ材の一側の側部に設ける固定底板部の突出長さ（Ｌ１：図２参照）は、５ｍｍより小さいと留めネジなどの固着部材を根太材に通す操作に支障がでることから５ｍｍ以上は必要であり、また、３５ｍｍより大きいとデッキ材の継目部分の幅が大きすぎて強度が低下することから、３５ｍｍ以下であることが好ましい。
また、デッキ材の固定底板部と同じ側の上端に設ける突片部の突出長さ（Ｌ２：図２参照）は、１ｍｍより小さいと他のデッキ材の突出天板部の段差部との係合代が小さすぎて、係合が外れやすくなることから１ｍｍ以上は必要であり、また、１０ｍｍより大きいと固着部材を根太材に通す操作上の領域確保の必要上、継目部分の幅を大きくなって継目部分の強度低下を招くことから、１０ｍｍ以下であることが好ましい。
【図面の簡単な説明】
【００１２】
【図１】本発明の一実施形態のデッキ材を継ぎ合わせて構成される化粧床面の概略側面図である。
【図２】図１のデッキ材の要部外観図である。
【図３】（Ａ），（Ｂ）はデッキ材を継ぎ合わせて接続する工程を示した図である。
【図４】（Ａ）〜（Ｃ）は他の形態のデッキ材同士を接続した継目部分の要部断面図である。
【図５】（Ａ），（Ｂ）はさらに他の形態のデッキ材同士を接続した継目部分の要部断面図である。
【図６】従来のデッキ材を継ぎ合わせて構成した化粧床面の概略側面図である。
【発明を実施するための形態】
【００１３】
本発明の好適な実施形態を、図面を参照して説明する。
図１は本発明の一実施形態のデッキ材を複数枚継ぎ合わせて構成した化粧床面を示しており、図示した化粧床面１は、バルコニーなどの下地である床版２上に所定の間隔を開けて複数本の根太材３を並べて固定し、この根太材３上に、複数のデッキ材４，４を根太材３と直交する方向に向けて並べ、隣り合うデッキ材４，４の側部同士を継ぎ合わせて敷き詰めることにより構成したものである。
【００１４】
デッキ材４は、平面視矩形状を呈する適宜な厚みの合成樹脂製の部材であり、図１及び図２に示されるように、化粧床面１の表面となる天板４１と根太材３に接合する底板４２の間に一定の間隔を開けて縦板４３を複数設けて中空な薄いブロック状を呈しており、その両側部にデッキ材４，４同士を並べて継ぎ合わせ可能な接続部位を一体に設けて形成してある。
【００１５】
詳しくは、図２に示されるように、デッキ材４は、その両長手側部のうちの一側の側部４Ａに、その下端に底板４２の端部から外方へ適宜な長さで突出した固定底板部４４と、この固定底板部４４の先端部で上方へ折れた段差部４５を設けるとともに、その上端に天板４１の端部から外方へ突出した突片部４６を設けて形成してある。
また、他側の側部４Ｂには、その下端に底板４２の端部から外方へ適宜な長さ突出した差込底板部４７を設け、その上端に天板４１の端部から、前記差込底板部４７よりも長く外方へ突出した突出天板部４８を設けるとともに、この突出天板部４８の先端部分に段差部４９を設けて形成してある。
側部４Ｂの下端に設けた差込底板部４７は、隣り合わせで継ぎ合わされる他のデッキ材４の側部４Ａの下端に設けた段差部４５の下側に差し込み可能な寸法に設けてある。また、側部４Ｂの上端に設けた段差部４９は、隣り合わせで継ぎ合わされる他のデッキ材４の側部４Ａの上端に設けた突片部４６の下側に差し込み可能な寸法に設けてある。
【００１６】
このように構成されたデッキ材４を用いた化粧床面１の施工は、以下の手順により行われる。
先ず、床版２上に所定の間隔を開けて複数本の根太材３を並べて固定する。そして、図３（Ａ）に示されるように、根太材３と直交する方向に向け一のデッキ材４を根太材３の端に載せ、その固定底板部４４を、上方から固着部材５を根太材３に通して根太材３に固定する。
【００１７】
次いで、固定したデッキ材４の側方で他のデッキ材４を根太材３に載せ、他のデッキ材４の側部４Ｂを固定したデッキ材４の側部４Ａにあてがい、図３（Ｂ）に示されるように、他のデッキ材４の側部４Ｂに設けられた差込底板部４７を固定されたデッキ材４の側部４Ａに設けられた段差部４５に差し込んで係合させるとともに、他のデッキ材４の側部４Ｂの上端に設けられた段差部４９を固定されたデッキ材４の側部４Ａの上端に設けられた突片部４６の下側に差し込んで係合させて、デッキ材４，４の側部同士を継ぎ合わせる。
デッキ材４，４の側部同士を継ぎ合わせた状態で、固着部材５で根太材３に固定されたデッキ材４の固定底板部４４の上方は、デッキ材４の突出天板部４８で覆われる。
【００１８】
そして、継ぎ合わせた他のデッキ材４の側部４Ａにおいて、その固定底板部４４の上方から固着部材５を根太材３に通して根太材３に固定し、デッキ材４，４同士を接続する。
以降、順次、根太材３に固定されたデッキ材４の側部４Ａに新たなデッキ材４の側部４Ｂを係合させて継ぎ合わせるとともに、新たに継ぎ合わせたデッキ材４を根太材３に固定して、根太材３上にデッキ材４を敷き詰めることにより、複数枚のデッキ材４が一体に接続された化粧床面１を根太材３上に形成することができる。
【００１９】
本形態のデッキ材４は、その一側の側部４Ａに外方へ突出した固定底板部４４を設けてあるので、根太材３に対する固定は固定底板部４の上方から固着部材５を根太材３に通して行なわれ、また、固定されたデッキ材４の側部に他のデッキ材４の側部を継ぎ合わせて接続すれば、固定底板部４４の上方が他のデッキ材４の側部４Ｂから突出した突出天板部４８で覆われ、さらに、デッキ材４の側部４Ａの上端に設けた突片部４６の下側に、他のデッキ材４の突出天板部４８に設けた段差部４９に係合させることでデッキ材４の突出天板部４８が反り上がることを防止するとともに、隣接するデッキ材４，４の天板４１，４１の継目部分の段差が全くなくなり、接続されたデッキ材４，４の上面を平坦な面一の面とすることができる。従来のデッキ材の如きカバー材が不要である。
また、デッキ材４，４は、デッキ材４の固定底板部４４の端部に設けた段差部４５に、他のデッキ材４の差込底板部４７を差し込んで係合させることで接続され、係合部位は日光の直射がないデッキ材４の底板４２の部分であり、デッキ材４の天板４１よりも温度上昇が低いため、温度上昇による熱変形を来たすことがなく、化粧床面１の施工後も、デッキ材４，４の側部同士の係合を確実に維持して床面の平坦性を保持することができる。日光の直射を受けてデッキ材４，４の係合部位が外れ、デッキ材４が反ったり継目部分に段差ができたりするようなことはない。
【００２０】
図４はデッキ材４の他の形態を示しており、同図（Ａ）は固定底板部４４の端部の段差部４５にテーパ面を設けて差込底板部４７の差込み操作がスムーズに行えるようにしたもの、同図（Ｂ）は段差部４４を湾曲面形状としたもの、同図（Ｃ）は段差部４５を球状断面に設けたものである。
【００２１】
図５はデッキ材４のさらに他の形態を示しており、同図（Ａ）はデッキ材４の突出天板部４８に段差部４９を設けず、突出天板部４８の端部が隣接するデッキ材４の突片部４６の端部と突き合うように設けたもの、同図（Ｂ）はデッキ材４の突片部４６と突出天板部４８に設けた段差部４９とに互いに噛み合う爪片を設けて、突片部４６に係合した段差部４９が抜け外れ難くしたものである。
【００２２】
なお、図示したデッキ材４は、本発明の実施形態の一例を示すものであり、本発明はこれらに限定されず、他の適宜な形態で構成することが可能である。
【符号の説明】
【００２３】
１  化粧床面、２  床版、３  根太材、４  デッキ材、４Ａ、４Ｂ  側部、４１  天板、４２  底板、４３  縦板、４４  固定底板部、４５  段差部、４６  突片部、４７  差込天板部、４８  突出天板部、４９  段差部、５  固着部材
【図１】
2015206228.tif 000003
【図２】
2015206228.tif 000004
【図３】
2015206228.tif 000005
【図４】
2015206228.tif 000006
【図５】
2015206228.tif 000007
【図６】
2015206228.tif 000008